(57)【要約】【課題】撮影した写真が遠近感（奥行き）を感じられるものになるカメラを提供することを目的とする。【解決手段】２つの同一形状・寸法の対物レンズ１，１を、カメラ本体２の前面20に左右又は上下に離間状に設けたものである。そして、２つの対物レンズ１，１を透過した光線３，３が、カメラ本体２内のフィルム４に重なって投射されるように構成されている。さらに、２つの対物レンズ１，１の色吸収率を相違させた。【選択図】図３
0003128037.tif 000002
【実用新案登録請求の範囲】
【請求項１】
２つの同一形状・寸法の対物レンズ（１)(１）を、カメラ本体（２）の前面（20）に左右又は上下に離間状に設け、該２つの対物レンズ（１)(１）を透過した光線（３)(３）が、上記カメラ本体（２）内のフィルム（４）に重なって投射されるように構成されたことを特徴とするカメラ。
【請求項２】
２つの同一形状・寸法の対物レンズ（１)(１）を、カメラ本体（２）の前面（20）に左右又は上下に離間状に設け、該２つの対物レンズ（１)(１）を透過した光線（３)(３）が、上記カメラ本体（２）内のフィルム（４）に重なって投射されるように構成され、
さらに、上記２つの対物レンズ（１)(１）の色吸収率を相違させたことを特徴とするカメラ。
【請求項３】
上記２つの対物レンズ（１)(１）の焦点又は拡大倍率を同期して変化させるシンクロナイズ機構（22）を付設した請求項１又は２記載のカメラ。
【考案の詳細な説明】
【技術分野】
【０００１】
本考案は、カメラに関するものである。
【背景技術】
【０００２】
従来のカメラは、カメラ本体の前面に１個の対物レンズが設けられており、この１個の対物レンズを透過した光線をフィルムに投射させて写真を撮影する一眼レフ式のものが広く使用されてきた。
【考案の開示】
【考案が解決しようとする課題】
【０００３】
この従来のカメラで撮影された写真では、遠方の対象物と近くの対象物の輪郭はほとんど同じである。この写真の対象物は、人間が片方の目で風景等を見た場合の感じ方と同じであり、遠近感（奥行き感）が得られない。
そこで、本考案は、撮影した写真が遠近感（奥行き）を感じられるものになるカメラを提供することを目的とする。
【課題を解決するための手段】
【０００４】
上記の目的を達成するために、本考案に係るカメラは、２つの同一形状・寸法の対物レンズを、カメラ本体の前面に左右又は上下に離間状に設け、該２つの対物レンズを透過した光線が、上記カメラ本体内のフィルムに重なって投射されるように構成されたものである。
【０００５】
また、本考案に係るカメラは、２つの同一形状・寸法の対物レンズを、カメラ本体の前面に左右又は上下に離間状に設け、該２つの対物レンズを透過した光線が、上記カメラ本体内のフィルムに重なって投射されるように構成され、さらに、上記２つの対物レンズの色吸収率を相違させたものである。
また、上記２つの対物レンズの焦点又は拡大倍率を同期して変化させるシンクロナイズ機構を付設した。
【考案の効果】
【０００６】
本考案は、次のような著大な効果を奏する。
本考案に係るカメラは、人間が両目で実際に見たときに感じる遠近（奥行き）感を感じることができる。即ち、左右に離間した２つの対物レンズの場合には、対象物の水平な輪郭線は明瞭に写り、垂直な輪郭線は、カメラに近いほど、二重に見えて（ぼやけて見えて）人間が両目で見た感じに近づき、遠近感が出る。又、上下に離間した２つの対物レンズの場合には、逆に、垂直な線は明瞭に写り、水平な線は、カメラに近いほど、二重に見えて（ぼやけて見えて）人間が横臥して見たときの感じに近づき、遠近感が出る。
【考案を実施するための最良の形態】
【０００７】
以下、実施の形態を示す図面に基づき、本考案を詳説する。
図１，図２は本考案に係るカメラの実施の一形態を示し、２つの対物レンズ１，１が、カメラ本体２に離間状に設けられている。
具体的には、対物レンズ１，１は、カメラ本体２の前面20に、左右に離間して設けられる。また、カメラ本体２の内部に、レンズ１を透過した光線３が投射するフィルム４が、奥側（後側）に設けられ、左右一対の対物レンズ１，１の中間に対応する１コマに合成して結像するようになっている。両レンズ１，１の間隔を50mm以下にする。さらに好ましくは、約10mm〜50mmにする。
【０００８】
また、カメラ本体２の内部には、一対のレンズ１Ａ，１Ｂを夫々透過した（前後方向の）光線３Ａ，３Ｂを左右方向内側に反射させる反射ミラー８Ａ，８Ｂと、両光線３Ａ，３Ｂを夫々後方へ反射させる半透過ミラー９，９が設けられている。そして、両光線３Ａ，３Ｂは重なって重複光線30となって、フィルム４に投射し結像させる。
【０００９】
図３は本考案のカメラの他の実施の形態を示し、一方のレンズ１Ａに対応する第１の反射ミラー８Ａが、他方のレンズ１Ｂに対応する第２の反射ミラー８Ｂよりも前方に設けられると共に、第１の反射ミラー８Ａにより左右方向内向きに反射された第１光線３Ａを後方向へ反射させる第３反射ミラー８Ｃと、第３反射ミラー８Ｃの後方に離間して設けられて第２反射ミラー８Ｂにより左右方向内向き（左方向）に反射された光線３Ｂを後方向へ反射させると共に上記の第１光線３Ａを後方へ透過させる半透過ミラー９と、が設けられる点である。上記の第１〜第３反射ミラー８…、及び、半透過ミラー９は、両光線３Ａ，３Ｂが一方向（後方に）重なるように、配置される。重なった両光線３Ａ，３Ｂは重複光線30となってフィルム４の方向へ向かう。このように、図２又は図３に示す如く、２つの同一形状・寸法の対物レンズ１，１を透過した光線３，３を、反射ミラー８や半透過ミラー９等から成る光線路合成手段Ｗによって、合成して、フィルム４に投射する。
【００１０】
また、半透過ミラー９とフィルム４の間には、重複光線30の一部を（図示省略の）ファインダの方向へと反射させる半透過ミラー６と、フィルム４に重複光線30を露光するためのシャッター７と、が設けられる。このファインダ用半透過ミラー６の面を前方上傾方向へ向けて設けることで、重複光線30が、上方向へと反射されて、図示省略のペンタプリズム、アイピースレンズ等を通って、撮影者の目に到達する。
【００１１】
また、本考案のカメラは、図５に例示するように、左右一対のレンズ１，１を同期的に回転させて前後に連動させるギア31，32，32等から成るシンクロナイズ機構22を有しており、対象物に対して、両レンズ１，１の焦点（ピント）を同期して変化させて合わせることが好ましく、又は、このシンクロナイズ機構22にて両レンズ１，１の拡大倍率（ズーム）を同期して変化させるのが好ましい。また、上記ギア31，32，32の他に、タイミングベルト等を用いたシンクロナイズ機構22とすることも自由である（図示省略）。
【００１２】
次に、図３において、本考案のカメラを使用して撮影した場合の作用及び撮影した写真について説明する。
対象物の光線３，３が、一対のレンズ１Ａ，１Ｂを透過して、カメラ本体２の内部の第１・第２反射ミラー８Ａ，８Ｂによって左右方向内向きに反射する。そして、一方の（第１）光線３Ａは、反射ミラー８Ｃによって後方へ反射する。また、他方の（第２）光線３Ｂは、半透過ミラー９によって後方へ反射する。このとき、第２光線３Ｂに、半透過ミラー９を透過した第１光線３Ａが同一方向に重なって、重複光線30になり、ファインダ用半透過ミラー６を透過してフィルム４の方向へ向かう。また、重複光線30の一部は、ファインダ用透過ミラー６によって反射し、ペンタプリズム、アイピースレンズ等を通って、撮影者の目に到達し、上述した図示省略のシンクロナイズ機構により両レンズ１，１のピントを同時に合わせることができる。
【００１３】
そして、撮影者がシャッターボタンを押してシャッター７が跳ねると、フィルム４に重複光線30が投射し、図４に示したような写真５が撮影される。
この写真５において、最も遠くの対象物14（山）は明瞭な線であり、その手前の対象物13（小屋）は輪郭のうち垂直線が僅かに二重となって、ぼやけた感じとなる。また、その手前の対象物12（家屋）は、垂直線の輪郭が二重になったようになり、さらに最も手前の対象物11（自動車）は、はっきりと輪郭が二重になる。
【００１４】
ここで、人間が対象物を見た場合の遠近感について説明する。
一点を両眼で見るときに、その点と両眼を結ぶ線のなす角を光角という。両目で物体を見るときは、この光角の大小によって物体の遠近を判断することができる。即ち、物体が近ければ光角は大きくなり、物体が遠くにあると光角は小さくなるからである。
しかし、動物が周囲の状況に迅速に対応できるためには、遠近感に関わる生理的機能は他にもいろいろあると考えられる。その一つとして、本考案は次のような現象を取り上げてみた。即ち、左右の目を交互に塞ぎ、室内に置いてある対象物を片方ずつの目で見ると、近くの対象物であればあるほど、左目で見た位置と右目で見た位置が左右に大きく移動する。そして、両目で見る場合には、左目と右目で見た二種類の実像を一つに合成して見ることになるため、輪郭の垂直方向の線は二重になって（ぼやけて）見えることになる。なお、このとき輪郭の水平状の線は明瞭である。
このように、片方の目のみで複数の対物を見た場合には遠方と近くの対物の遠近感を判別しにくいが、両方の目で見た場合は遠近感を感じることとなる。
そして、本考案のカメラは、実際に人間が両目で対物を見た場合に感じる遠近感を表現できる画法（以下、「両目画法」と呼ぶ）による作画を、写真５に表現できる技術の考案であり、言い換えると、「両目画法」の撮影を可能とするカメラである。
【００１５】
また、人間の左右の目の色感がわずかに相違していることに対応して、同一形状・寸法の一対の対物レンズ１，１の色の吸収率をわずかに相違させてもよい。この場合には、本考案のカメラで撮影された写真５は、遠方の対象物10に対する近くの対象物10の輪郭の二重になり具合（ぼやけ方）が大きくなり、一層遠近感を感じることができる。
また、本考案に於て、レンズ１，１の間隔が広いと、ずれが大きくなり、ぶれた二重写しの写真になる。そのため、（図示省略の）間隔調整機能を付加して、レンズ１，１の相互間隔を調整自在に構成し、例えば、近景の場合はレンズ間隔を10mm以下位にし、遠景でも最大50mmの間隔とすることが、望ましい。
【００１６】
なお、本考案のカメラは、設計変更自由であり、対物レンズ１，１を上下に離間してカメラ本体２の前面20に設けてもよい。この場合には、カメラで撮影された写真５の対象物10は、図４に示したものと相違して、輪郭の垂直線は明瞭になり、輪郭の水平線は二重の（ぼやけた）状態となる。
【００１７】
以上のように、本考案に係るカメラは、２つの同一形状・寸法の対物レンズ１，１を、カメラ本体２の前面20に左右又は上下に離間状に設け、２つの対物レンズ１，１を透過した光線３，３が、カメラ本体２内のフィルム４に重なって投射されるように構成されたものなので、写真５に写った対象物10は、遠方になるほど明瞭であり、かつ、カメラに近くなるほど輪郭が二重となる。よって、写真５に写った対象物10から、人間が両目で実際に見たときに感じる遠近（奥行き）感を感じることができる。
【００１８】
また、本考案に係るカメラは、２つの同一形状・寸法の対物レンズ１，１を、カメラ本体２の前面20に左右又は上下に離間状に設け、２つの対物レンズ１，１を透過した光線３，３が、カメラ本体２内のフィルム４に重なって投射されるように構成され、さらに、２つの対物レンズ１，１の色吸収率を相違させたものなので、写真５に写った対象物10は、遠方になるほど明瞭であり、かつ、カメラに近くなるほど輪郭が二重となる。よって、写真５に写った対象物10から、人間が両目で実際に見たときに感じる遠近（奥行き）感を感じることができる。
また、２つの対物レンズ１，１の色吸収率を相違させることで、人間の左右の目の色感がわずかに相違していることに対応させることができ、写真５に写った近くの対象物10のぼやけ方（二重となる様）が大きくなり、一層遠近感を感じることができる。
【００１９】
また、２つの対物レンズ１，１の焦点又は拡大倍率を同期して変化させるシンクロナイズ機構22を付設したことにより、ピント合わせ、又は、ズームを容易に手で操作でき、かつ、２つのレンズ１，１の焦点又は倍率が正確に一致する。
【図面の簡単な説明】
【００２０】
【図１】本考案に係るカメラの実施の一形態を示す斜視図である。
【図２】説明用簡略平面図である。
【図３】本考案に係るカメラの他の実施の形態を示す説明用平面図である。
【図４】写真を示す説明図である。
【図５】シンクロナイズ機構の説明図である。
【符号の説明】
【００２１】
１  レンズ
２  カメラ本体
３  光線
４  フィルム
22  シンクロナイズ機構
【図１】
0003128037.tif 000003
【図２】
0003128037.tif 000004
【図３】
0003128037.tif 000005
【図４】
0003128037.tif 000006
【図５】
0003128037.tif 000007